(57)【要約】【課題】モジュラープラグがモジュラージャックに着脱されるのを確実に防止できるモジュラープラグ着脱防止具を提供すること。【解決手段】  本発明に係るモジュラープラグ着脱防止具１０００は、例えば、保持枠１００と、保持枠１００の内壁１０２ａ、１０３ａ内であって、ロック用レバー形成面１１ｄおよび天井面１０４ａの間に挿入される挿入部材２００とから構成されている。挿入部材２００には、モジュラープラグ本体１１とロック用レバー１２と間に設けられ、ロック用レバーの延出側が本体１１に近づく方向に押下されるのを抑止する第１の押下抑止部３００と、ロック用レバー１２の先端を覆い、ロック用レバー１２の先端側が本体１１に近づく方向に押下されるのを抑止する第２の押下抑止部４００とが、設けられている。【選択図】図１
2007157654.tif 000002
【特許請求の範囲】
【請求項１】
先端部が、モジュラージャックに挿入可能に形成された本体と、一端が上記本体の上記先端部に取り付けられ、他端が上記本体の後端部に向けて上記本体から離れる方向に延出され、弾性を有するレバーと、上記レバーの上記一端に形成され、上記モジュラージャックに形成された取付部に係止される係止部とを有し、上記レバーを押下することにより、上記係止部を上記取付部に係合させ、またはこの係合を解除させて、上記モジュラープラグを上記モジュラージャックに着脱可能にするモジュラープラグが、上記モジュラージャックに着脱されるのを防止するモジュラープラグ着脱防止具であって、
上記本体と上記レバーと間に設けられ、上記レバーの上記一端側が上記本体に近づく方向に押下されるのを抑止する第１の押下抑止部と、
上記レバーの上記他端を覆い、上記レバーの上記他端側が上記本体に近づく方向に押下されるのを抑止する第２の押下抑止部とを備えたことを特徴とするモジュラープラグ着脱防止具。
【請求項２】
上記モジュラープラグの上記本体の先端部と後端部との間に形成された外周面のうち、上記レバー形成面を除いた外周面に沿って設けられた内壁と、上記レバーの形成面と離間して、上記レバー形成面に対向するように設けられた天井面とを有する保持枠と、
上記第１および第２の押下抑止部を有し、上記保持枠の上記内壁内であって、上記レバー形成面および上記天井面の間に挿入される挿入部材とを備えたことを特徴とする請求項１に記載のモジュラープラグ着脱防止具。
【請求項３】
上記モジュラープラグの上記本体の先端部と後端部との間に形成された外周面のうち、上記レバー形成面を除いた外周面に沿って設けられた内壁と、上記レバーの形成面と離間して、上記レバー形成面に対向するように設けられ、上記第２の押下抑止部が形成された天井面とを有する保持枠と、
上記第１の押下抑止部を有し、上記保持枠の上記内壁内であって、上記レバー形成面および上記天井面の間に挿入される挿入部材とを備えたことを特徴とする請求項１に記載のモジュラープラグ着脱防止具。
【請求項４】
上記モジュラープラグの上記本体の上記後端部に取り付けられたケーブルを備え、
上記挿入部材は、上記ケーブルからの抜けを防止するための抜け防止部を有することを特徴とする請求項２または３に記載のモジュラープラグ着脱防止具。
【請求項５】
上記挿入部材は、上記モジュラープラグの上記レバー形成面に沿って移動可能に、上記保持枠に取り付けられたことを特徴とする請求項２または３に記載のモジュラープラグ着脱防止具。
【請求項６】
上記保護枠に形成され、上記モジュラープラグが上記本体の上記先端部から上記後端部へ向かう方向またはその逆方向に移動するのを防止する保持部を備えたことを特徴とする請求項２または３に記載のモジュラープラグ着脱防止具。
【請求項７】
上記保持枠および上記挿入部材にそれぞれ形成された貫通孔を備え、
上記挿入部材が上記保持枠内に挿入されたとき、上記両貫通孔が連通するように設けられたことを特徴とする請求項２または３に記載のモジュラープラグ着脱防止具。
【請求項８】
上記両貫通孔は南京錠を取り付けるために用いられることを特徴とする請求項７に記載のモジュラープラグ着脱防止具。
【請求項９】
先端部が、モジュラージャックに挿入可能に形成された本体と、一端が上記本体の上記先端部に取り付けられ、他端が上記本体の後端部に向けて上記本体から離れる方向に延出され、弾性を有するレバーと、上記レバーの上記一端に形成され、上記モジュラージャックに形成された取付部に係止される係止部とを有し、上記レバーを押下することにより、上記係止部を上記取付部に係合させ、またはこの係合を解除させて、上記モジュラープラグを上記モジュラージャックに着脱可能にするモジュラープラグが、上記モジュラージャックに着脱されるのを防止する複数のモジュラープラグ着脱防止具と、
複数のモジュラージャックが一列に配列して設けられたネットワーク集線装置と、
複数のモジュラープラグが上記複数のモジュラージャックにそれぞれ挿入され、上記複数のモジュラープラグ着脱防止具が上記複数のモジュラープラグにそれぞれ取り付けられた状態で、上記複数のモジュラープラグ着脱防止具の各々を連結する連結部材とを備え、  上記モジュラープラグ着脱防止具は、上記本体と上記レバーと間に設けられ、上記レバーの上記一端側が上記本体に近づく方向に押下されるのを抑止する第１の押下抑止部と、
上記レバーの上記他端を覆い、上記レバーの上記他端側が上記本体に近づく方向に押下されるのを抑止する第２の押下抑止部とを備えたことを特徴とするたことを特徴とするモジュラープラグ着脱防止具セット。
【請求項１０】
上記連結部材は、上記複数のモジュラープラグ着脱防止具のうち、少なくとも１個を施錠するための施錠用貫通孔を備えたことを特徴とする請求項９に記載のモジュラープラグ着脱防止具セット。
【発明の詳細な説明】
【技術分野】
【０００１】
この発明は、モジュラープラグ着脱防止具およびモジュラープラグ着脱防止具セットに関し、例えば、電話機、モデム、ターミナルアダプタ、ルータ、ネットワークハブ等の通信関連機器と回線ケーブルとを接続するために使用されるモジュラープラグが、モジュラージャックに着脱されるのを防止するためのモジュラープラグ着脱防止具およびモジュラープラグ着脱防止具セットに関する。
【背景技術】
【０００２】
電話機を建物内に引き込まれた電話回線と接続するため、モジュラージャックとモジュラープラグとの組み合わせによる接続構造が用いられている。
また、この接続構造は、電話機、モデム、ターミナルアダプタ、ルータ、ネットワークハブ等の各種の通信関連機器と電話回線やＬＡＮ回線との接続の用途にも広く利用されている。
【０００３】
この種の接続構造では、モジュラージャックからモジュラープラグが外れないようにするため、モジュラープラグに設けられたロック用レバーをモジュラージャックに係合させて、モジュラージャックからのモジュラープラグの抜け出しを阻止するロック機構が採用されており、モジュラージャックにモジュラープラグが結合された状態で先端部がモジュラージャックの外部に突出するようにロック用レバーが延出され、このロック用レバーの先端部を指で押圧することでロック用レバーのモジュラージャックに対するロック状態が解除されて、モジュラージャックからモジュラープラグを抜き取ることができる。
特許文献１には、モジュラープラグに設けられたロック用レバーをモジュラージャックに係合させることにより、ロック用レバーを有するモジュラープラグが電気通信機器に実装されたモジュラージャックに装着される技術が記載されている。
【特許文献１】特開２００３−３１７８１８号公報
【発明の開示】
【発明が解決しようとする課題】
【０００４】
しかしなから、特許文献１に記載の技術では、ロック用レバーを押下することにより、簡単にモジュラージャックからモジュラープラグを抜き取ることができるので、電話回線やＬＡＮ回線を介して通信中に、モジュラープラグがモジュラージャックから外れてしまって、通信が誤切断されてしまう問題があった。
また、例えば、重要情報が記録保存されたサーバやパソコンに通信接続された電子通信機器のモジュラージャックが部外者によって勝手に使用され、重要情報が漏洩してしまう問題があった。
本発明はこのような問題に鑑みてなされたものであり、モジュラープラグがモジュラージャックに着脱されるのを確実に防止できるモジュラープラグ着脱防止具およびモジュラージャック着脱防止具セットを提供することを目的とする。
【課題を解決するための手段】
【０００５】
本発明にかかるモジュラープラグ着脱防止具は、先端部が、モジュラージャックに挿入可能に形成された直方体状の本体と、一端が本体の先端部に取り付けられ、他端が本体の後端部に向けて本体から離れる方向に延出され、弾性を有するレバーと、レバーの一端に形成され、モジュラージャックに形成された取付部に係止される係止部とを有し、レバーを押下することにより、係止部を上記取付部に係合させ、またはこの係合を解除させて、モジュラープラグをモジュラージャックに着脱可能にするモジュラープラグが、モジュラージャックに着脱されるのを防止するモジュラープラグ着脱防止具であって、本体とレバーと間に設けられ、レバーの一端側が本体に近づく方向に押下されるのを抑止する第１の押下抑止部と、レバーの他端を覆い、レバーの他端側が本体に近づく方向に押下されるのを抑止する第２の押下抑止部とを備えたことを特徴とするものである。
このような構成にしたことにより、モジュラープラグがモジュラージャックに着脱されるのを確実に防止できる。
【０００６】
ここで、本発明にかかるモジュラープラグ装着防止具は、モジュラープラグの本体の先端部と後端部との間に形成された外周面のうち、レバー形成面を除いた外周面に沿って設けられた内壁と、レバーの形成面と離間して、レバー形成面に対向するように設けられた天井面とを有する保持枠と、第１および第２の押下抑止部を有し、保持枠の内壁内であって、レバー形成面および天井面の間に挿入される挿入部材とを備えている。このようにしたことにより、簡単な構成で、モジュラープラグがモジュラージャックに着脱されるのを確実に防止できる。
【０００７】
また、本発明にかかるモジュラープラグ装着防止具は、モジュラープラグの本体の先端部と後端部との間に形成された外周面のうち、レバー形成面を除いた外周面に沿って設けられた内壁と、レバーの形成面と離間して、レバー形成面に対向するように設けられ、第２の押下抑止部が形成された天井面とを有する保持枠と、第１の押下抑止部を有し、保持枠の内壁内であって、レバー形成面および天井面の間に挿入される挿入部材とを備えもよい。このようにしたことにより、簡単な構成で、モジュラープラグがモジュラージャックに着脱されるのを確実に防止できる。
【０００８】
また、モジュラープラグの本体の後端部に取り付けられたケーブルを備え、挿入部材は、ケーブルからの抜けを防止するための抜け防止部を有してもよい。このようにしたことにより、挿入部材の紛失を防止することができる。
【０００９】
また、好ましくは、挿入部材は、モジュラープラグのレバー形成面に沿って移動可能に、保持枠に取り付けられる。このようにしたことにより、挿入部材を保護枠内に簡単に挿入でき、且つ、挿入部材の紛失を防止することができる。
【００１０】
また、保護枠に形成され、モジュラープラグが本体の先端部から後端部へ向かう方向またはその逆方向に移動するのを防止する保持部を備えてもよい。これにより、モジュラープラグが、当該モジュラープラグ本体の先端部から後端部へ向かう方向またはその逆方向に抜け落ちるのを防止することができる。
【００１１】
また、保持枠および挿入部材にそれぞれ形成された貫通孔を備え、挿入部材が保持枠内に挿入されたとき、上記両貫通孔が連通するようにしてもよい。このとき、貫通孔は南京錠を取り付けるために用いられる。このようにしたことにより、第三者によって勝手にモジュラープラグがモジュラージャックに着脱されないように、モジュラープラグ装着防止具に施錠することができる。
【００１２】
本発明にかかるモジュラープラグ着脱防止具セットは、先端部が、モジュラージャックに挿入可能に形成された本体と、一端が本体の先端部に取り付けられ、他端が本体の後端部に向けて本体から離れる方向に延出され、弾性を有するレバーと、レバーの一端に形成され、モジュラージャックに形成された取付部に係止される係止部とを有し、レバーを押下することにより、係止部を取付部に係合させ、またはこの係合を解除させて、モジュラープラグをモジュラージャックに着脱可能にするモジュラープラグが、モジュラージャックに着脱されるのを防止する複数のモジュラープラグ着脱防止具と、複数のモジュラージャックが一列に配列して設けられたネットワーク集線装置と、複数のモジュラープラグが複数のモジュラージャックにそれぞれ挿入され、複数のモジュラープラグ着脱防止具が複数のモジュラープラグにそれぞれ取り付けられた状態で、複数のモジュラープラグ着脱防止具の各々を連結する連結部材とを備え、モジュラープラグ着脱防止具は、本体とレバーと間に設けられ、レバーの一端側が本体に近づく方向に押下されるのを抑止する第１の押下抑止部と、レバーの他端を覆い、レバーの他端側が本体に近づく方向に押下されるのを抑止する第２の押下抑止部とを備えたことを特徴とするものである。
このような構成にしたことにより、簡単な構成で、ネットワーク集線装置の複数のモジュラージャックに装着された複数のモジュラープラグが着脱されるのを確実に防止できる。
【００１３】
ここで、連結部材は、複数のモジュラープラグ着脱防止具のうち、少なくとも１個を施錠するための施錠用貫通孔を備えている。このように連結部材を用いたことにより、簡単な構成で、第三者によって勝手に複数のモジュラープラグが複数のモジュラージャックに着脱されないように、複数のモジュラープラグ装着防止具に施錠することができる。
【発明の効果】
【００１４】
本発明により、モジュラープラグがモジュラージャックに着脱されるのを確実に防止できる。
【発明を実施するための最良の形態】
【００１５】
発明の実施の形態１．
本発明の実施の形態１に係るモジュラープラグ着脱防止具の構成について、図に基づいて説明する。
図１は、本発明の実施の形態１に係るモジュラープラグ着脱防止具の使用状態を示す図であって、図１（ａ）は上面図、図１（ｂ）は図１（ａ）のＡ−Ａ切断線における断面図である。なお、図１（ｂ）では、モジュラープラグ１０の断面構成について、係止部１３ｂおよび端子１５の部分のみ詳細に示し、その他の部分は外形のみ示している。図２は、図１（ａ）のＢ−Ｂ切断線における断面図である。なお、図２ではモジュラープラグ１０は、その外形のみを示し、詳細な断面構成を省略している。図３は、一般的なモジュラープラグとモジュラージャックの構成を示す斜視図である。
【００１６】
まず、最初に一般的なモジュラープラグ１０とモジュラージャック２０の構成について、図３に基づいて説明する。この一般的なモジュラープラグ１０とモジュラージャック２０の構成は、電話機、モデム、ターミナルアダプタ、ルータ、ネットワークハブ等の各種の通信関連機器と電話回線やＬＡＮ回線との接続に利用されている。
図３に示されるように、モジュラープラグ１０は、略直方体状の本体１１と、ロック用レバー１２と、係止部１３ａ、１３ｂとを備えている。
本体１１の先端部１１ａは、モジュラージャック２０の凹状の開口部２１に挿入可能に形成されている。本体１１の材料には、例えばＰＣ（ポリカーボネート）、ＰＰ（ポリプロピレン）、ＡＢＳ、ＰＭＭＡ（アクリル樹脂）などの樹脂が用いられている。
【００１７】
ロック用レバー１２は本体１１と一体に棒状に形成されている。ロック用レバー１２は弾性を有し、ロック用レバー１２の材料には本体１１と同じ材料が用いられている。図３に示されるように、ロック用レバー１２の一端は本体１１の先端部１１ａに一体に取り付けられ、ロック用レバー１２の他端は本体１１の後端部１１ｂに向けて本体１１から離れる方向に延出されている。ロック用レバー１２の一端部には、一対の係止部１３ａ、１３ｂが形成されている。
本体１１の後端部１１ｂには、本体１１内部に取り付けられる端子（不図示）に接続されるケーブル１４が取り付けられている。
【００１８】
図３に示されるように、モジュラージャック２０は、略立方体状または略直方体状に形成されており、モジュラープラグ２０の先端部が挿入される開口部２１が形成されている。開口部２１の内面底部には端子２２が取り付けられている。この端子２２の本数は、モジュラープラグ１０の端子（不図示）の本数に対応されている。
図３に示されるように、モジュラージャック２０の開口部２１の上端には、モジュラープラグ１０のロック用レバー１２を案内するための溝部２３が形成されている。溝部２３内には、モジュラープラグ１０の係止部１３ａ、１３ｂが係止される取付部（不図示）が形成されている。
【００１９】
次に、本実施の形態１に係るモジュラープラグ着脱防止具の使用状態について、図１および図２に基づいて説明する。
図１（ａ）、図１（ｂ）および図２に示されるように、本実施の形態１に係るモジュラープラグ着脱防止具１０００は、保持枠１００と挿入部材２００により構成されている。
保持枠１００および挿入部材２００は、モジュラープラグ１０がモジュラージャック２０に装着された後に取り付けられる。
【００２０】
図１（ａ）および図１（ｂ）に示されるように、モジュラープラグ１０の本体１１の先端部１１ａをモジュラージャック２０の開口部２１に挿入すると、ロック用レバー１２の一端に形成された係止部１３ａ、１３ｂが、モジュラージャック２０の溝部２３内に形成された取付部２４に係止され、モジュラープラグ１０がモジュラージャック２０に装着される。
このとき、図１（ｂ）に示されるように、モジュラープラグ１０の本体１１の先端部１１ａは、モジュラージャック２０内部に形成された当接壁２５に当接されている。
【００２１】
また、図１（ｂ）に示されるように、モジュラープラグ１０の本体１１のロック用レバー形成面１１ｄと反対側の面には単数または複数の端子１５が取り付けられており、この端子１５はモジュラージャック２０の端子２２に接触されている。図１（ｂ）に示されるように、端子１５はケーブル１４内の導電線１４ａに電気的に接続されている。このように、モジュラープラグ１０がモジュラージャック２０に装着されたとき、モジュラープラグ１０のケーブル１４内の導電線１４ａとモジュラージャック２０の端子２２が電気的に接続される。
【００２２】
モジュラージャック２０の端子２２は、Ｌ字形状に形成された弾性部材により形成されている。モジュラージャック２０の端子２２の材料には例えばリン青銅が用いられる。また、モジュラープラグ１０がモジュラージャック２０に装着されたとき、モジュラージャック２０の端子２２は中央部の屈曲部２２ａを中心に時計回りの方向にたわむ。そして、このたわみによる反力により、モジュラージャック２０の端子２２がモジュラープラグ１０の端子１５の方向に付勢される。図１（ｂ）では、モジュラージャック２０の端子２２がたわんでいる状態を示している。また、モジュラージャック２０の端子２２は、モジュラープラグ１０の端子１５との接続部分とは反対側の端部２２ｂがモジュラージャック２０の外部に露出されるように、モジュラージャック２０内に固定されている。
【００２３】
保持枠１００は図２に示されるように、枠状に形成されている。保持枠１００の材料には、例えばＰＣ（ポリカーボネート）、ＰＰ（ポリプロピレン）、ＡＢＳ、ＰＭＭＡ（アクリル樹脂）などが用いられている。図１（ｂ）および図２に示されるように、保持枠１００の底板１０１の内面である底面１０１ａには、モジュラープラグ１０が載置される。また、図１（ｂ）に示されるように、保持枠１００の底面１０１ａには、モジュラープラグ１０が、当該モジュラープラグ１０の本体１１の先端部１１ａから後端部１１ｂへ向かう方向またはその逆方向に移動しないように保持する一対の保持部１０１ｃ、１０１ｄが形成されている。
【００２４】
図１（ｂ）に示されるように、モジュラープラグ１０の本体１１の後端部１１ｂ側の底面には突出部１１ｃが形成されており、一対の保持部１０１ｃ、１０１ｄはこの突出部１１ｃを本体１１の先端部１１ａから後端部１１ｂへ向かう方向で挟持するように設けられている。このように、保持部１０１ｃ、１０１ｄを保持枠１００の底面１０１に形成したことにより、モジュラープラグ１０が、当該モジュラープラグ本体１１の先端部１１ａから後端部１１ｂへ向かう方向またはその逆方向で、保持枠１００から抜け落ちるのを防止することができる。
【００２５】
図２に示されるように、保持枠１００の底板１０１の内面（底面）１０１ａ、側板１０２、１０３の内面（側壁１０２ａ、１０３ａ）は、モジュラープラグ１０の本体１１の先端部１１ａと後端部１１ｂとの間に形成された外周面のうち、ロック用レバー形成面１１ｄを除いた外周面に沿って設けられている。
また、図２に示されるように、保持枠１００には、モジュラープラグ１０の本体１１のロック用レバー形成面１１ｄと離間して、ロック用レバー形成面１１ｄに対向するように設けられた天井板１０４が設けられている。この天井板１０４の内面を天井面１０４ａとする。
【００２６】
図１（ｂ）および図２に示されるように、挿入部材２００は、上板２０１と、下板２０２と、上板２０１および下板２０２を結ぶ立板２０３とから構成されている。また、図１（ｂ）および図２に示されるように、挿入部材２００は保持枠１００の内壁である側壁１０２ａ、１０３ａ内であって、モジュラープラグ１０の本体１１のレバー形成面１１ｄと天井面１０４ａとの間に挿入されるように構成されている。なお、図示しないが、保持枠１００と挿入部材２００との間には、挿入部材２００を保持枠１００内に挿入しやすいように、一定のクリアランスが設けられている。
【００２７】
図１（ｂ）に示されるように、下板２０２の先端部には、第１の押下抑止部３００が形成されている。第１の押下抑止部３００は、モジュラープラグ１０の本体１１のロック用レバー形成面１１ｄとロック用レバー１２との間に設けられ、ロック用レバー１２のうち、モジュラープラグ１０の本体１１の先端部１１ａ側がモジュラープラグ１０の本体１１に近づく方向に押下されるのを抑止する機能を果たしている。第１の押下抑止部３００が形成される下板２０２の先端部には、ロック用レバー１２の傾斜に合わせた斜面２０２ａが形成されている。なお、下板２０２は、第１の押下抑止部３００が取付部２４および係止部１３ａ、１３ｂの係止構造の位置に配置されるように形成されている。
【００２８】
このように、モジュラープラグ１０の本体１１のロック用レバー形成面１１ｄとロック用レバー１２との間に第１の押下抑止部３００を設けたことにより、ロック用レバー１２のうち、モジュラープラグ１０の本体１１の先端部１１ａ側が、本体１１のロック用レバー形成面１１ｄに近づくのを抑止することができ、係止部１３ａ、１３ｂが取付部２４から外れてしまうのを防止することができる。この結果、モジュラープラグ１０がモジュラージャック２０から外されるのを確実に防止できる。
【００２９】
また、図１（ｂ）に示されるように、上板２０１は、第２の押下抑止部４００として機能する。すなわち、上板２０１（第２の抑止部４００）は、ロック用レバー１２のうち、モジュラープラグ１０の本体１１の後端部１１ｂ側を覆うことにより、指でロック用レバー１２を触ることができなくし、ロック用レバー１２のうち、モジュラープラグ１０の本体１１の後端部１１ｂ側が押下されるのを抑止する機能を果たす。
このように、第１の押下抑止部３００に加え、モジュラープラグ１０の本体１１の後端部１１ｂ側を覆う上板２０１（第２の押下抑止部４００）を設けたことにより、ロック用レバー１２のうち、モジュラープラグ１０の本体１１の後端部１１ｂ側が押下されるのを抑止することができ、係止部１３ａ、１３ｂが取付部２４から外れてしまうのを防止することができる。この結果、モジュラープラグ１０がモジュラージャック２０から外されるのを更に確実に防止できる。
【００３０】
なお、保持枠１００および挿入部材２００のそれぞれに貫通孔１０５、２０４が形成されている。図１（ａ）および図１（ｂ）に示されるように、貫通孔１０５、２０４はモジュラープラグ１０の後端側に配置されている。具体的には、貫通孔１０５は天井板１０４に形成され、貫通孔２０４は上板２０１に形成されている。また、貫通孔１０５、２０４は一対になって構成されており、挿入部材２００が保持枠１００内に挿入されたとき、両貫通孔１０５、２０４が連通される。連通された両貫通孔１０５、２０４には南京錠（不図示）を取り付けることができる。このようにしたことにより、第三者によって勝手にモジュラープラグ１０がモジュラージャック２０に着脱されないように、モジュラープラグ装着防止具１０００に施錠することができる。
【００３１】
次に、本実施の形態１に係るモジュラープラグ着脱防止具の他の使用状態について、図に基づいて説明する。図４は、本発明の実施の形態１に係るモジュラープラグ着脱防止具の使用状態を示す図であって、図４（ａ）は上面図、図４（ｂ）は図１（ａ）のＣ−Ｃ切断線における断面図である。なお、図４（ｂ）では、モジュラープラグ１０の構成について、係止部１３ｂの部分のみ詳細に示し、その他の部分は外形のみ示している。
図１（ａ）および図１（ｂ）では、モジュラープラグ１０がモジュラージャック２０に装着された状態を示すのに対し、図４（ａ）および図４（ｂ）では、モジュラープラグ１０がモジュラージャックに装着されていない状態を示す点で相違する。
【００３２】
すなわち、図１（ａ）および図１（ｂ）に示される使用状態では、モジュラープラグ１０がモジュラージャック２０に装着された状態に維持するために、モジュラープラグ装着防止具１０００を使用しているのに対し、図４（ａ）および図４（ｂ）では、モジュラープラグ１０がモジュラージャック２０に装着されるのを防止するために、モジュラープラグ装着防止具１０００を使用している点で相違する。
【００３３】
図４（ａ）および図４（ｂ）に示されるように、第１の押下抑止部３００が、モジュラープラグ１０の本体１１のロック用レバー形成面１１ｄとロック用レバー１２との間に設けられている。このため、ロック用レバー１２のうち、モジュラープラグ１０の本体１１の先端部１１ａ側が、本体１１のロック用レバー形成面１１ｄに近づくのを抑止することができ、モジュラープラグ１０の本体１１の先端部１１ａをモジュラージャック２０の開口部２１に挿入しようとしても、係止部１３ａ、１３ｂが取付部２４に係止されることがない。この結果、モジュラープラグ１０がモジュラージャック２０に装着されるのを確実に防止できる。
【００３４】
また、図４（ａ）および図４（ｂ）に示されるように、第１の押下抑止部３００に加え、上板２０１（第２の抑止部４００）が、モジュラープラグ１０の本体１１の後端部１１ｂ側を覆うように設けられている。このため、指でロック用レバー１２を触ることができし、ロック用レバー１２のうち、モジュラープラグ１０の本体１１の後端部１１ｂ側が押下されるのを抑止することができ、モジュラープラグ１０の本体１１の先端部１１ａをモジュラージャック２０の開口部２１に挿入しようとしても、ロック用レバー１２を押下できず、係止部１３ａ、１３ｂが取付部２４に係止されることがない。この結果、モジュラープラグ１０がモジュラージャック２０に装着されるのを更に確実に防止できる。
【００３５】
次に、本発明の実施の形態１に係るモジュラープラグ着脱防止具を複数個使用したときの使用例を、図に基づいて説明する。
図５は、本発明の実施の形態１に係るモジュラープラグ着脱防止具を複数個使用したときの使用例を示す図であって、図５（ａ）はネットワーク集線装置に複数のモジュラープラグおよび複数のモジュラープラグ着脱防止具が取り付けられた状態を示す上面図であり、図５（ｂ）はネットワーク集線装置のモジュラージャックの開口側を示す正面図である。図６は、図５（ａ）のＤ−Ｄ切断線における断面を示す図である。なお、図６では、便宜上、ネットワーク集線装置のうち、モジュラージャックの部分のみ示している。
【００３６】
図５（ａ）および図５（ｂ）に示されるように、ネットワーク集線装置２０００は直方体の角を面取りした８面体形状に形成されている。また、ネットワーク集線装置２０００の下面に電源コード２００１が接続されている。また、ネットワーク集線装置２０００の一側面には、複数のモジュラージャック２０が一体に形成されたコネクタ２００２が設けられている。なお、このネットワーク集線装置２０００には、８個のモジュラージャック２０が設けられているが、これに限られず、モジュラージャック２０は７個以下でも９個以上であってもよい。
【００３７】
図５（ａ）および図６に示されるように、複数のモジュラープラグ１０が複数のモジュラージャック２０に装着され、更に複数のモジュラープラグ１０の各々にはモジュラープラグ装着防止具１０００が取り付けられている。
また、図５（ａ）および図６に示されるように、複数のモジュラープラグ着脱防止具１０００の各々を連結する連結部材５００が、各モジュラープラグ着脱防止具１０００の端部に取り付けられている。具体的には、図６に示されるように、連結部材５００は、その断面をコの字状とする棒状体に形成されている。連結部材５００の溝部５０１の内側には、保持枠１００の天井板１０４の端部と挿入部材２００の上板２０１の端部がはめ込まれている。
【００３８】
このように、連結部材５００により、複数のモジュラープラグ１０が複数のモジュラージャック２０にそれぞれ挿入され、複数のモジュラープラグ着脱防止具１０００が複数のモジュラープラグ１０にそれぞれ取り付けられた状態で、複数のモジュラープラグ着脱防止具１０００の各々が連結される。
また、連結部材５００には、複数のモジュラープラグ着脱防止具１０００のうち、少なくとも１個を施錠するための施錠用の貫通孔５０２ａ、５０２ｂが形成されている。
【００３９】
この貫通孔５０２ａ、５０２ｂは、連結部材５００がモジュラープラグ着脱防止具１０００に取り付けられたとき、モジュラープラグ着脱防止具１０００の貫通孔１０５、２０４と合致するように形成されている。そして、図６に示されるように、連結部材５００がモジュラープラグ着脱防止具１０００に取り付けられたとき、貫通孔１０５、２０４および貫通孔５０２ａ、５０２ｂが連通される。連通された貫通孔５０２ａ、５０２ｂおよび貫通孔１０５、２０４には南京錠（不図示）が取り付けることができる。このように連結部材５００を用いたことにより、簡単な構成で、第三者によって勝手に複数のモジュラープラグ１０が複数のモジュラージャック２０に着脱されないように、複数のモジュラープラグ装着防止具１０００に施錠することができる。
【００４０】
次に、本実施の形態１に係るモジュラープラグ着脱防止具の変形例を図に基づいて説明する。図７は、本発明の実施の形態１に係るモジュラープラグ着脱防止具の変形例を示す断面図であって、図１（ａ）のＢ−Ｂ切断線における断面図に対応する断面を示す図である。なお、図７では、図２同様にモジュラープラグ１０の外形のみを示し、詳細な断面構成を省略している。
図２に示されるように、本発明の実施の形態１に係るモジュラープラグ着脱防止具１０００では、挿入部材２００は保持枠１００に取り付けられていないのに対し、本発明の実施の形態１に係るモジュラープラグ着脱防止具の変形例１０００ａでは、図７に示されるように、挿入部材１００ａが、モジュラープラグ１０の本体１１のレバー形成面１１ａに沿って移動可能に、保持枠２００ａに取り付けられている点で、相違する。
【００４１】
すなわち、図７に示されるように、保持枠１００ａの天井板１０４には、スライド用孔１０６が、モジュラープラグ１０の本体１１の先端部１１ａから後端部１１ｂへの方向（長手方向）に、スリット状に形成されている。
また、図７に示されるように、挿入部材２００ａの上板２０１の上面には、円柱形状のスライド軸２０５が形成されている。このスライド軸２０５は、挿入部材２００ａの上板２０１の上面から延出して一体に形成されている。また、スライド軸２０５の先端には、円盤形状の係止部２０６が設けられている。この係止部２０６は、挿入部材２００ａが保持枠１００ａから外れてしまうのを防止するために設けられている。係止部２０６はスライド軸２０５と別体であっても一体であってもよい。
【００４２】
図７に示されるように、スライド軸２０５の外径は、スライド用孔１０６の開口幅よりも小さく形成されている。また、係止部２０６の外径は、スライド用孔１０６の開口幅よりも大きく形成されている。また、図７に示されるように、係止部２０６の内面と、挿入部材２００ａの上板２０１の上面との間で、保持枠１００ａの天井板１０４の上面を挿入部材２００ａが移動可能な程度に挟むように構成されている。スライド用孔１０６の長手方向における両端は、保持枠１００ａの天井面１０４が形成された面の外周部の内側に位置するように、設けられている。
このようにしたことにより、挿入部材２００ａをスリット状のスライド用孔１０６に沿って保護枠１００ａ内に簡単に挿入または抜出することができる。また、合わせて、係止部２０６を形成したので、挿入部材２００ａが保持枠１００ａから外れてしまうのを防止でき、挿入部材２００ａの紛失を防止することができる。
【００４３】
なお、本実施の形態１に係るモジュラープラグ着脱防止具の別の変形例として、図１（ａ）および図１（ｂ）に示された挿入部材１００に、ケーブル１４からの抜けを防止するための抜け防止部（不図示）を設けてもよい。具体的には、抜け防止部（不図示）は、ケーブル１４を内側に通したリング状部材（不図示）と、このリング状部材を挿入部材１００に接続する接続部品とから構成されている。また、リング状部材は、ケーブル１４から外れないように、その内径が調整されている。このようにしたことにより、挿入部材１００の紛失を防止することができる。
【００４４】
発明の実施の形態２．
次に、本実施の形態２に係るモジュラープラグ着脱防止具の使用状態について、図に基づいて説明する。図８は、本発明の実施の形態２に係るモジュラープラグ着脱防止具の使用状態を示す図であって、図８（ａ）は上面図、図８（ｂ）は図８（ａ）のＥ−Ｅ切断線における断面図である。
本発明の実施の形態１に係るモジュラープラグ着脱防止具１０００では、図１（ａ）および図１（ｂ）に示されるように、挿入部材２００の上板２０１が、第２の押下抑止部２０１ａとして機能しているのに対し、本発明の実施の形態２に係るモジュラープラグ着脱防止具１００ｂでは、図８（ａ）および図８（ｂ）に示されるように、保持枠１００ｂの天井板１０４および天井面１０４ａが、第２の押下抑止部４００として機能している点で相違する。
【００４５】
すなわち、本発明の実施の形態２では、図８（ｂ）に示されるように、上板２０１は、ロック用レバー１２の上側にまで延出されていない。そして、保護枠１００ｂの天井板１０４および天井面１０４ａ（第２の抑止部４００）は、ロック用レバー１２のうち、モジュラープラグ１０の本体１１の後端部１１ｂ側を覆うことにより、指でロック用レバー１２を触ることができなくし、ロック用レバー１２のうち、モジュラープラグ１０の本体１１の後端部１１ｂ側が押下されるのを抑止する機能を果たす。
このようにして、図８（ａ）および図８（ｂ）に示されるように、第１の押下抑止部２０２ａに加え、保護枠１００ｂの天井板１０４および天井面１０４ａ（第２の抑止部４００）を設けたことにより、ロック用レバー１２のうち、モジュラープラグ１０の本体１１の後端部１１ｂ側が押下されるのを抑止することができ、係止部１３ａ、１３ｂが取付部２４から外れてしまうのを防止することができる。この結果、モジュラープラグ１０がモジュラージャック２０から外されるのを更に確実に防止できる。
【００４６】
以上の説明は、本発明を実施の形態を説明するものであり、本発明が以上の実施の形態に限定されるものではない。また、当業者であれば、以上の実施の形態の各要素を、本発明の範囲において、容易に変更、追加、変換することが可能である。
【図面の簡単な説明】
【００４７】
【図１】本発明の実施の形態１に係るモジュラープラグ着脱防止具の使用状態を示す図であって、図１（ａ）は上面図、図１（ｂ）は図１（ａ）のＡ−Ａ切断線における断面図である。
【図２】図１（ａ）のＢ−Ｂ切断線における断面図である。
【図３】一般的なモジュラープラグとモジュラージャックの構成を示す斜視図である。
【図４】本発明の実施の形態１に係るモジュラープラグ着脱防止具の使用状態を示す図であって、図４（ａ）は上面図、図４（ｂ）は図１（ａ）のＣ−Ｃ切断線における断面図である。
【図５】本発明の実施の形態１に係るモジュラープラグ着脱防止具を複数個使用したときの使用例を示す図であって、図５（ａ）はネットワーク集線装置に複数のモジュラープラグおよび複数のモジュラープラグ着脱防止具が取り付けられた状態を示す上面図であり、図５（ｂ）はネットワーク集線装置のモジュラージャックの開口側を示す正面図である。
【図６】図５（ａ）のＤ−Ｄ切断線における断面を示す図である。
【図７】本発明の実施の形態１に係るモジュラープラグ着脱防止具の変形例を示す断面図であって、図１（ａ）のＢ−Ｂ切断線における断面図に対応する断面を示す図である。
【図８】本発明の実施の形態２に係るモジュラープラグ着脱防止具の使用状態を示す図であって、図８（ａ）は上面図、図８（ｂ）は図８（ａ）のＥ−Ｅ切断線における断面図である。
【符号の説明】
【００４８】
１０  モジュラープラグ
１１  本体
１１ａ  先端部
１１ｂ  後端部
１１ｃ  突出部
１１ｄ  ロック用レバー形成面
１２  ロック用レバー
１３ａ、１３ｂ  係止部
１４  ケーブル
１４ａ  導通線
１５  端子
２０  モジュラージャック
２１  開口部
２２  端子
２２ａ  屈曲部
２２ｂ  端部
２３  溝部
２４  取付部
２５  当接壁
１０００、１０００ａ、１０００ｂ  モジュラープラグ着脱防止具
１００、１００ａ、１００ｂ  保持枠
１０１  底板
１０１ａ  底面
１０１ｃ、１０１ｄ  保持部
１０２、１０３  側板
１０２ａ、１０３ａ  側壁
１０４  天井板
１０４ａ  天井面
１０５  貫通孔
１０６  スライド用孔
２００、２００ａ、２００ｂ  挿入部材
２０１  上板
２０２  下板
２０２ａ  傾斜面
２０３  立板
２０４  貫通孔
２０５  スライド軸
２０６  係止部
３００  第１の押下抑止部
４００  第２の押下抑止部
５００  連結部材
５０１  溝部
５０２ａ、５０２ｂ  貫通孔
２０００  ネットワーク集線装置
２００１  電源コード
２００２  コネクタ
【図１】
2007157654.tif 000003
【図２】
2007157654.tif 000004
【図３】
2007157654.tif 000005
【図４】
2007157654.tif 000006
【図５】
2007157654.tif 000007
【図６】
2007157654.tif 000008
【図７】
2007157654.tif 000009
【図８】
2007157654.tif 000010